(57)【要約】      （修正有）【課題】排便の悪臭の防止、排便の黄褐色の色及び排便の形状を目視から隠す、おむつを提供する。【解決手段】おむつの股間の部分に穴１１を施しその穴に悪臭等防止用パイプを通しパイプを装着することである。そのパイプの利用は、まず、手動用噴霧器で消臭液をおむつの中にある排泄物に向けて噴霧する。これで最悪の悪臭は防止できる。次に、消臭液と同様に、手動用粉末散布器で黒色粉末を散布する。黒色粉末には消臭作用、湿気吸収作用、排便の形状と黄褐色の色を隠す作用がある。これにより、排泄物による不快感は全面的に解消される。【選択図】図２
0003235230.tif 000002
【実用新案登録請求の範囲】
【請求項１】
要介護者用Ｔ字式おむつの股間の部分に穴を施しその穴にパイプを通し装着した悪臭等防止用パイプ装着おむつ
【請求項２】
要介護者用パンツ式おむつの股間の部分に穴を施しその穴にパイプを通し装着した悪臭等防止用パイプ装着おむつ
【請求項３】
幼児用Ｔ字式おむつの股間の部分に穴を施しその穴にパイプを通し装着した悪臭等防止用パイプ装着おむつ
【請求項４】
幼児用パンツ式おむつの股間の部分に穴を施しその穴にパイプを通し装着したく悪臭等防止用パイプ装着おむつ
【請求項５】
要介護者用Ｔ字式おむつ、要介護者用パンツ式おむつ、幼児用Ｔ字式おむつ、及び幼児用パンツ式おむつの股間の部分に穴を施しその穴にに装着する悪臭等防止用パイプ
【考案の詳細な説明】
【技術分野】
【０００１】２０２０年に於ける６５歳以上の高齢者の割合は２７．７％、３，５１５万人と公表されている。この高齢者６５歳以上の要介護者と要介護支援認定者の総数は６５９万人で、その内訳は要介護者４７４万人、その予備軍に当たる要支援認定者は１８５万人である。
問題は、６５歳以上の要介護者である。これらの要介護者は自分一人では排泄物を処理出来ない。その為、排泄物の処理には介助者の助けを必要とする。これらの要介護者の数は団塊の世代が終わるとされる２０４０年まで右肩上がりで増加するとされている。
現在、これらの要介護者を介助しているのは、病院及び介護福祉施設等で働く看護師や介護師等ある。が、これらの病院及び介護福祉施設は常に人手不足の状態で満足な介助ができない状況にある。それでも、近年、看護師及び介護師の応募者が増加している。と云われている。が今だ、人出不足は解消されていない。なぜそうなのか、アンケート調査によると、就職者と退職者の比率がほぼ同数の割合であることが判明している。では、人員不足を如何するか、当然のことであるが離職者を減らす努力が求められる。蛇足であるが、病院を退職した隠れ看護師は、全国で約７０万人と推計されている。
そこで、病院及び介護福祉施設の年当たりの退職の実態を調べた。その結果、病院での退職は、看護師が１０．９％、新人看護師が７．６％であった。次に、介護福祉施設での退職は１６．２％であった。いずれも、この退職率を他の業種と比較したが若干高いものの必ずしも突出しているものではない。では、退職理由は何か、介護福祉施設では▲１▼職場の人間関係、▲２▼不規則な勤務形態、▲３▼給与が低いことが挙げられている。では、病院での退職理由は何か、残念ながら退職理由を確認することは出来なかった。が、介護福祉施設と似たり寄ったりの回答と推測される。問題は、病院及び介護福祉施設に共通するこれ以外の隠れ退職理由が有る。のか、分かったことは、排泄物処理の介助が大きな一因であった。人の為に役に立ちたいと喜び勇んで飛び込んできた職場環境が聞くと見るとの食い違いに失望した結果の退職であった。
【背景技術】
【０００２】要介護者の排泄物の処理は毎日の事であり、常人では我慢の限界を超えた過酷な業務である。この為、病院、介護福祉施設及び介護関係製造会社等では要介護者の排泄物の処理の不快感を少しでも和らげるために様々な工夫が行われてきた。その一部を例示すると、布製おしめから紙製おむつ、テープ止め式おむつ、パンツ式おむつ、横漏れ防止おむつ、背漏れ防止おむつ、消臭用パート付おむつ、更には、排泄物垂流用器具、排泄物自動処理器機等である。が、いずれも排便の悪臭の防止、排便の黄褐色の色及び排便の形状の目視から受ける不快感をこれまで解決することは皆無であった。
【先行技術文献】
【０００３】
【特許文献】文献なし
【０００４】
【非特許文献】介護保険事業状況報告（厚生労働省）、日本看護協会、介護労働実態調査（介護労働安定センター）
【考案の概要】
【考案の解決しようとする課題】
【０００５】そこで、本案は劣悪な職場環境を直視し看護師及び介護師の退職者を減らし介護の人的充実を図ることが求められる。その解決には、おむつの改良が望まれる。
【考案の概要】
【考案の解決するための手段】
【０００６】現在、おむつと称される形状を大別すると要介護者用Ｔ字式おむつ、要介護者用パンツ式おむつ、幼児用Ｔ字式おむつ、幼児用パンツ式おむつがある。本案は、これらの全てのおむつに共通するものである。その、考案の解決するための手段は、これらの、おむつの股間に当たる部分に穴を施しその穴にパイプを通し悪臭等防止用パイプを装着することである。このパイプによって、要介護者がおむつの中に排泄物を排泄した後、まず手動用噴霧器で消臭液をパイプの注入口から注入する。次に、手動用粉末散布器で黒色粉末をパイプの注入口から注入する。このことによって、排便の悪臭が防止され、また、排便の黄褐色の色及び排便の形状が黒色粉末で隠され目視できなくなる。その結果、排泄物から受ける不快感は解消される。
【考案の効果】
【０００７】おむつの股間の部分に装着した悪臭等防止用パイプを通して消臭液の注入と黒色粉末の注入によって排便の悪臭の防止、排便の黄褐色の色及び排便の形状が隠され目視が出来なくなることから、おむつの中の排泄物の処理は和らぎ不快感は解消される。その結果、職場環境は明るくなり、離職者の減少に繋がっている。なお、在宅要介護者の親族からも室内に充満していた悪臭等が無くなり大変楽になったと称賛されている。
【図面の簡単な説明】
【０００８】
【図１】要介護者用Ｔ字式おむつの内面図
【図２】要介護者用Ｔ字式おむつの斜面図
【図３】要介護者用パンツ式おむつの斜面図
【図４】幼児用Ｔ字式おむつの内面図
【図５】幼児用Ｔ字式おむつの斜面図
【図６】幼児用パンツ式おむつの斜面図
【図７】悪臭等防止用パイプ側面図
【考案を実施するための形態】
【０００９】考案の実施形態は下記の図で説明する。
要介護者がおむつの中に排泄物を排泄した後、ベッド等（図１）に寝ている要介護者の掛毛布（符号２）を剥ぎ取り、仰向け（図２）状態の下肢部の両膝（符号１０）を身体の負担にならない程度に持ち上げＭ字形（図３）にする。この状態で、おむつ（符号１８）の悪臭等防止用パイプ装着部分を指で摘まみ心持大きく手前に引き、生身の股間とおむつの間に空間を生じさせる。
その空間にすでに排泄した排便に向け手動用噴霧器（図５）でキャップ（符号５７）を外した悪臭等防止用パイプの注入口（符号５６）から消臭液（符号４２）を注入する。次に、手動用粉末散布器（図７）で黒色粉末（符号４８）を排泄物に向けて、先の消臭液（符号４２）と同様に注入する。これによって、排便の悪臭が解消されるとともに、排便の黄褐色の色及び排便の形状が黒色粉末によって隠れ目視できなくなり、排泄物による不快感はなくなる。この後、つまり、おむつを外した後、アルコール又は温水を含ませた脱脂綿等で臀部、股間等を衛生に配慮し洗浄する。これをもって、一連の排泄物の処理は終了する。
0003235230.tif 000003
【形態図の符号の説明】
【００１０】図の中で使用した符号については次の通りである。
図１は仰向けで寝ている図である。符号１は頭部、符号２は掛毛布である。
図２は排泄後の図である。
符号３は頭部、符号４は腕、符号５は手、符号６は臍、符号７はおむつ、符号８はパイプ装着穴、符号９は腿、符号１０は膝、符号１１は足である。
図３は消臭液、黒色粉末を注入する前の図である。
符号１２は頭部、符号１３は腕、符号１４は手、符号１５は臍、符号１６は膝で膝を持ち上げＭ字形にしたときの膝の位置である。符号１７はおむつ、符号１８はパイプ装着穴、符号１９は足である。
図４は消臭液、黒色粉末を装着パイプを通して注入する図である。
符号２０は頭部、符号２１は腕、符号２２は手、符号２３は臍、符号２４はおむつ、符号２５は膝、符号２６はパイプ装着穴、符号２７は足である。
図５は排泄物の処理後の図である。
符号２８は頭部、符号２９は腕、符号３０は手、符号３１は臍、符号３２はおむつ、符号３３はパイプ装着穴、符号３４は腿、符号３５は膝、符号３６は足である。
図６は手動用噴霧器の側面図である。
符号３７はノズル、符号３８は消臭液の噴出口、符号３９は消臭液を噴霧する手動用レバーである。符号４０は吸込ホウス、符号４１は消臭液貯蔵容器、符号４２は消臭液である。
図７は手動用粉末散布器の側面図である。
符号４３はノズル、符号４４は黒色粉末の噴出口、符号４５は黒色粉末を散布する手動用レバー、符号４６は吸入ホウス、符号４７は黒色粉末貯蔵容器である。符号４８は黒色粉末である。
図８は悪臭等防止用パイプの斜面図である。
符号４９は悪臭等防止用パイプ本体の円筒図、符号５０は噴出口、符号５１はおむつの内側に装着する固定用鍔付ネジ、符号５２は悪臭等防止用パレプの本体、符号５３はパレプ本体の表面に設けられたネジ、符号５４はおむつの外側に装着する固定用鍔付ネジである。符号５５はパイプの注入口、符号５６は注入口を塞ぐキャップ、符号５７はキャップ内のネジである。
【実施例】
【００１１】おむつは古くから人々の生活の中に存在していた。よく時代劇ドラマに出てくる「おむつ」は布製で乳幼児の排泄物を処理する「おしめ」として登場する。おむつも時代と共に扱い易い紙製へと進化してきた。今では、排泄物の処理に欠かすことの出来ない必需品となっている。病院、介護福祉施設及び在宅要介護者等に広く使われている。
【産業上の利用可能性】
【００１２】おむつは国民の全てが一度ならず二度はお世話になる。一度は乳幼児のとき、二度目は高齢化になり要介護者になったときである。おむつは、人間がこの世にいる限り絶対的必需品である。悪臭等防止用パイプ装着おむつは、消臭液による排便の悪臭の防止、黒色粉末による排便の黄褐色の色及び排便の形状を覆い隠すことが出来ることからその扱い易さが高く評価されている。介護は社会的一大産業である。
【本案の符号の説明】
【００１３】図面及び符号は０００８の説明です。
図１は要介護者用Ｔ字式おむつの本体の内面図である。
符号１はＴ字式おむつを腰にあてがい固定する装着帯である。符号２はＴ字式おむつの下腹部に当たる部分である。符号３はＴ字式おむつの股間の部分に穴を施しその穴にパイプを通し悪臭等防止用パイプを装着するパイプ装着穴である。符号４はＴ字式おむつの臀部に当たる部分である。符号５はＴ字式おむつを腰に固定する装着帯である。符号６は装着帯を腰の前で止めるマジュクテープである。
図２は要介護者用Ｔ字式おむつの斜面図である。
符号７はマジュクテープを付帯する装着帯である。符号８は装着帯に付帯する左右のマジュクテープが交る部分でＴ字式おむつを固定する。符号９はＴ字式おむつの下腹部に当たる部分である。符号１０は股間の付け根から足を出す足出穴である。符号１１はＴ字式おむつに悪臭等防止用パイプを装着するパイプ装着穴である。符号１２はおむつの股間に当たる部分である。
図３は要介護者用パンツ式おむつの斜面図である。
符号１３はパンツ式おむつを履いたとき腰からズリ落ちない様にしたゴム状の装着帯である。符号１４はパンツ式おむつの下腹部に当たる部分である。符号１５はパンツ式おむつを履いたり抜いたりする足の出入口である。符号１６は悪臭等防止用パイプを装着するパイプ装着穴である。符号１７はパンツ式おむつの股間に当たる部分である。
図４は幼児用Ｔ字式おむつの本体の内面図である。
符号１８はＴ字式おむつを腰にあてがい固定する装着帯である。符号１９はＴ字式おむつの下腹部に当たる部分である。符号２０は悪臭等防止用パイブを装着するパイプ装着穴である。符号２１はＴ字式おむつの臀部に当たる部分である。符号２２はＴ字式おむつを腰にあてがい固定する装着帯である。符号２３はＴ字式おむつの装着帯に付帯したマジュクテープである。
図５は幼児用Ｔ字式おむつの斜面図である。
符号２４はＴ字式おむつを腰にあてがい固定する装着帯である。符号２５は左右の装着帯に付帯するマジュクテープが噛み合う場所である。符号２６はおむつの下腹部に当たる部分である。符号２７は股間の付け根から足を出す足出口である。符号２８はパイプを装着するパイプ装着穴である。符号２９はおむつの股間に当たる部分である。
図６は幼児用パンツ式おむつの斜面図である。
符号３０はパンツ式おむつを履いたとき腰からズリ落ちない様にしたゴム状の装着帯である。符号３１はパンツ式おむつの下腹部に当たる部分である。符号３２はパンツ式おむつを履いたり抜いたりする足の出入口である。符号３３は悪臭等防止用パイプを装着するパイプ装着穴である。符号３４はおむつの股間に当たる部分である。
図７はパイプの斜面図である。
符号３５は悪臭等防止用パイプの口径図、符号３６は消臭液と黒色粉末を噴出させる噴出口である。符号３７はおむつの内側にセットする固定用鍔付ネジである。符号３８はおむつを外側から挟みおむつを固定する固定用鍔付ネジである。符号３９はパイプの本体である。符号４０はパイプ本体の表面に刻まれたネジである。符号４１はパイプの注入口を塞ぐキャプである。
【図１】
0003235230.tif 000004
【図２】
0003235230.tif 000005
【図３】
0003235230.tif 000006
【図４】
0003235230.tif 000007
【図５】
0003235230.tif 000008
【図６】
0003235230.tif 000009
【図７】
0003235230.tif 000010
【手続補正書】
【提出日】令和3年9月8日(2021.9.8)
【手続補正１】
【補正対象書類名】実用新案登録請求の範囲
【補正対象項目名】請求項４
【補正方法】変更
【補正の内容】
【請求項４】
幼児用パンツ式おむつの股間の部分に穴を施しその穴にパイプを通し装着した悪臭等防止用パイプ装着おむつ
【手続補正２】
【補正対象書類名】実用新案登録請求の範囲
【補正対象項目名】請求項５
【補正方法】変更
【補正の内容】
【請求項５】
悪臭等防止用パイプは長さ約３ｃｍ太さ約１．５ｃｍのポリエチレンを素材とする透明の筒でそのパイプをおむつの股間の部分に開けた穴に差し込みそのパイプがおむつの穴から外れないようパイプのオスネジと固定用鍔のメスネジを噛み合せおむつの外側と内側の両方からサンドエッチ状に挟み固定する構造で要介護者の排泄時にはおむつの外側のパイプ注入口のキャップを外しおむつの中の排便及び排尿等へ最初は消臭液を噴霧器で次に黒色粉末は粉末散布器で直接吹掛けることで排泄物処理時の便の悪臭及び便の塊と便の特有の色である黄褐色を目で見ることが無くなり不快感を解消することができるおむつに付帯させた悪臭等防止具である。
【手続補正書】
【提出日】令和3年9月13日(2021.9.13)
【手続補正１】
【補正対象書類名】実用新案登録請求の範囲
【補正対象項目名】請求項５
【補正方法】変更
【補正の内容】
【請求項５】
悪臭等防止用パイプは長さ約３ｃｍ直径約１．５ｃｍのポリエチレンを素材とする透明の筒でそのパイプをおむつの股間の部分に開けた穴に差し込みそのパイプがおむつの穴から外れないようパイプのオスネジと固定用鍔のメスネジを噛み合せおむつの外側と内側の両方からサンドイッチ状に挟み固定する構造で要介護者の排泄時にはおむつの外側のパイプ注入口のキャップを外しおむつの中の排便及び排尿等へ最初は消臭液を噴霧器で次に黒色粉末は粉末散布器で直接吹きかけることで排泄物処理時の便の悪臭及び便の塊と便の特有の色である黄褐色を見ることが無くなる不快感解消用に付帯した悪臭等防止具